(57)【要約】【課題】ボウル部ユニットと流体吐出装置ユニットとを水密性高く連結することが可能な便器装置を提供する。【解決手段】ボウル部の上端部となるリム２を有する前パーツ１（ボウル部ユニット）と、ボウル部内に向けて流体を吐出する流体吐出部を突没自在に前方に突出させる流体吐出装置を有する後パーツ３（流体吐出装置ユニット）とを備える便器装置である。前パーツ１には、リム２の後部に、前記流体吐出部がボウル部内に突没するために挿通される開口部が形成される。後パーツ３には、上面に前記流体吐出部が載置され、リム２の前記後部の開口部周縁の上面２６ａにパッキン７を介して載置される被載置部５が設けられる。パッキン７の被載置部５の下面５ａまたは上面２６ａに当接する面に、前後方向と交差する方向を長手方向とする突条７１が設けられる。【選択図】図１
2015007313.tif 000002
【特許請求の範囲】
【請求項１】
ボウル部の上端部となるリムを有するボウル部ユニットと、前記ボウル部内に向けて流体を吐出する流体吐出部を突没自在に前方に突出させる流体吐出装置を有する流体吐出装置ユニットとを備え、
前記ボウル部ユニットには、前記リムの後部に、前記流体吐出部が前記ボウル部内に突没するために挿通される開口部が形成され、  
前記流体吐出装置ユニットには、上面に前記流体吐出部が載置され、前記リムの前記後部の前記開口部周縁の上面にパッキンを介して載置される被載置部が設けられる、便器装置であって、
前記パッキンの前記被載置部の下面または前記開口部周縁の前記上面に当接する面に、前後方向と交差する方向を長手方向とする突条が設けられることを特徴とする便器装置。
【請求項２】
前記パッキンが、前記被載置部の前記下面に当接する状態で保持される保持部を備えることを特徴とする請求項１記載の便器装置。
【発明の詳細な説明】
【技術分野】
【０００１】
本発明は、ボウル部ユニットと流体吐出装置ユニットとが連結される便器装置に関するものである。
【背景技術】
【０００２】
従来より、ボウル部の上端部となるリムを有するボウル部ユニットと、流体を吐出する流体吐出装置を有する流体吐出装置ユニットとが連結される便器装置が知られている（例えば、特許文献１参照）。
【０００３】
この従来例の便器装置は、図６、図７に示すように、リム２を有する前パーツ１（ボウル部ユニット）と、ボウル部１１内に向けて流体を吐出する流体吐出部として局部洗浄ノズル４１を突没自在に前方に突出させる局部洗浄装置４を有する後パーツ３（流体吐出装置ユニット）とを備えている。前パーツ１には、リム２の後部に、局部洗浄ノズル４１が挿通される開口部２３が形成されている。後パーツ３には、上面に前記流体吐出部が載置され、リム２の後部の開口部２３周縁の上面にパッキン７を介して載置される被載置部５が設けられる。パッキン７は、垂直断面において上下に薄いもので、リム２の後部の開口部２３周縁の上面に設けられている。
【先行技術文献】
【特許文献】
【０００４】
【特許文献１】特開２００８−９５４６０号公報
【発明の概要】
【発明が解決しようとする課題】
【０００５】
そして、後パーツ３が前パーツ１に連結される際、後パーツ３の被載置部５がリム２の後部の上面に仮載置され、その後、前方に移動されて所定の位置に位置するものである。
【０００６】
しかしながら、この場合、パッキン７の上面に載置された後パーツ３が前方にスライドすることになり、パッキン７に捻れが発生し易く、捻れが発生したパッキン７により水密性が低下する惧れがある、という問題があった。  
【０００７】
本発明は上記従来の問題点に鑑みて発明したものであって、その目的とするところは、ボウル部ユニットと流体吐出装置ユニットとを水密性高く連結することが可能な便器装置を提供することにある。
【課題を解決するための手段】
【０００８】
上記課題を解決するために、本発明の便器装置は、以下のような構成とする。
【０００９】
ボウル部の上端部となるリムを有するボウル部ユニットと、前記ボウル部内に向けて流体を吐出する流体吐出部を突没自在に前方に突出させる流体吐出装置を有する流体吐出装置ユニットとを備え、前記ボウル部ユニットには、前記リムの後部に、前記流体吐出部が前記ボウル部内に突没するために挿通される開口部が形成され、前記流体吐出装置ユニットには、上面に前記流体吐出部が載置され、前記リムの前記後部の前記開口部周縁の上面にパッキンを介して載置される被載置部が設けられる、便器装置であって、前記パッキンの前記被載置部の下面または前記開口部周縁の前記上面に当接する面に、前後方向と交差する方向を長手方向とする突条が設けられることを特徴とする。
【００１０】
また、前記パッキンが、前記被載置部の前記下面に当接する状態で保持される保持部を備えることが好ましい。
【発明の効果】
【００１１】
本発明の便器装置にあっては、被載置部の下面とリムの後部の開口部周縁の上面とによりパッキンが圧縮される力が突条に集中的にかかり、突条で高い密着性を有し、止水効果が向上するものである。
【図面の簡単な説明】
【００１２】
【図１】本発明の第一の実施形態の便器装置の要部拡大断面図である。
【図２】同上の実施形態における便器装置の斜視図である。
【図３】（ａ）は同上の実施形態における便器装置の前パーツの一部の後斜め上方より見た斜視図であり、（ｂ）は同上の実施形態における便器装置の後パーツの一部の前斜め下方より見た斜視図である。
【図４】同上の実施形態における便器装置の要部断面図である。
【図５】本発明の第二の実施形態の便器装置の要部拡大断面図である。
【図６】従来例の便器装置のリムの後斜め上方より見た斜視図である。
【図７】従来例の便器装置の要部拡大断面図である。
【発明を実施するための形態】
【００１３】
本発明に係る便器装置は、ボウル部１１の上端部となるリム２を有するボウル部ユニットと、ボウル部１１内に向けて流体を吐出する流体吐出部を突没自在に前方に突出させる流体吐出装置を有する流体吐出装置ユニットとを備える。前記ボウル部ユニットには、リム２の後部に、前記流体吐出部がボウル部１１内に突没するために挿通される開口部２３が形成される。前記流体吐出装置ユニットには、上面に前記流体吐出部が載置され、リム２の前記後部の開口部２３周縁の上面にパッキン７を介して載置される被載置部５が設けられる。パッキン７の被載置部５の下面５ａまたは開口部２３周縁の上面２６ａに当接する面に、前後方向と交差する方向を長手方向とする突条７１が設けられることを特徴とする。
【００１４】
また、パッキン７が、被載置部５の下面５ａに当接する状態で保持される保持部７２を備えることが好ましい。
【００１５】
以下、本発明の第一の実施形態について添付図面に基いて説明する。
【００１６】
図２に示すように、第一の実施形態では、ボウル部ユニットとしての前パーツ１は、ボウル部１１およびリム２を有する便器本体１０と、スカート部１２とを備えている。また、流体吐出装置ユニットとしての後パーツ３は、流体吐出装置としての局部洗浄装置４と、上カバー３１と、リアスカート（不図示）と、左右のサイドスカート３２を備えている。また、第一の実施形態の便器装置は、更に、前パーツ１と後パーツ３を支持する支持フレーム（不図示）を備えている。
【００１７】
なお、本実施形態では、流体吐出装置ユニットの主体を構成する局部洗浄装置４（流体吐出装置）が、ボウル部ユニットの主体を構成するボウル部１１の後側に位置しているため、ボウル部ユニットが前パーツ１、流体吐出装置ユニットが後パーツ３となっている。しかし、ボウル部ユニットが前パーツ１、流体吐出装置ユニットが後パーツ３でなくてもよく、ボウル部ユニットと流体吐出装置ユニットの前後位置関係は特に限定されない。
【００１８】
便器本体１０は、図２に示すように、ボウル部１１と、ボウル部１１の上端開口縁の全周にわたって形成されたリム２とからなり、リム２の上面２０は、便座（不図示）が載置される便座載置面となる。ボウル部１１の底部の後部には回動自在な排水筒部（不図示）が設けられる。ボウル部１１とリム２は、第一の実施形態では合成樹脂で形成されるもので、一体に成形されてもよいし、別々に成形された後、溶着や接着により接合されてもよい。また、スカート部１２も合成樹脂で形成され、便器本体１０と一体に成形されてもよいし、便器本体１０とは別に成形された後、溶着や接着により接合されてもよい。また、スカート部１２は、便器本体１０に対して着脱自在に取り付けられてもよい。
【００１９】
なお、第一の実施形態では便器本体１０とスカート部１２とで前パーツ１が構成されているが、スカート部１２はなくてもよい。また、ボウル部１１とリム２とスカート部１２は、合成樹脂以外の材料で形成されてもよい。
【００２０】
後パーツ３を構成する上カバー３１、リアスカート、左右のサイドスカート３２は、第一の実施形態では合成樹脂で形成され、着脱自在に組み合わせられる。なお、上カバー３１、リアスカート、左右のサイドスカート３２はなくてもよい。また、上カバー３１、リアスカート、左右のサイドスカート３２、装置ケース５０は、合成樹脂以外の材料で形成されてもよい。
【００２１】
後パーツ３は、図３（ｂ）に示すように、前端部に、局部洗浄装置４を載置する装置ケース５０を備えている。装置ケース５０は、第一の実施形態では、前方および上方に開放される略箱状をしたもので、その前端部は図示しないが略垂直な平面内に位置し、正面視略Ｕ字状をしている。局部洗浄装置４は、局部洗浄ノズル４１と、図示しないが、局部洗浄ノズル４１を駆動する駆動手段と、駆動手段を制御する制御部と、を備えている。局部洗浄ノズル４１は、流体をボウル部１１内に吐出する流体吐出部となるもので、第一の実施形態では水道等の水源に接続され、流体として水を吐出するものである。また、局部洗浄ノズル４１としては、おしり洗浄ノズル、ビデ洗浄ノズルが挙げられる。なお、局部洗浄ノズル４１の他に、流体吐出部として、おしり洗浄ノズルまたはビデ洗浄ノズルを洗浄するノズル洗浄ノズルを備えていてもよい。
【００２２】
駆動手段として、図示しないが、局部洗浄ノズル４１を進退させるモータが設けられてもよい。また、駆動手段として、水源としての水道との連通および遮蔽を切り替える電磁弁を備え、水道と連通させて水道圧により局部洗浄ノズル４１を前進させたり、水道から遮蔽してばね等の付勢手段により局部洗浄ノズル４１を後退させるものでもよい。駆動手段としては他の手段でもよく、特に限定されない。
【００２３】
制御部は、マイクロコンピュータ等からなり、駆動手段を制御して、局部洗浄ノズル４１の進退と、局部洗浄ノズル４１からの流体の吐出と停止を切り替えるものである。また、局部洗浄ノズル４１として複数のノズルを備えている場合には、各ノズル毎に駆動可能な駆動手段を備え、制御部は任意のノズルを駆動させるように制御する。
【００２４】
上記のような局部洗浄装置４のうち局部洗浄ノズル４１が、後パーツ３の前端部の装置ケース５０に載置されている。局部洗浄ノズル４１は、前進することで装置ケース５０から前方に突出し、後退することで装置ケース５０から突出しない状態となる。なお、最も後退した状態で装置ケース５０から若干突出していてもよい。
【００２５】
また、第一の実施形態では、図４に示すように、装置ケース５０の後方や側方に、送風ダクト、貯湯タンク、送水用ポンプ、温風ファン等の機能部品８が設置される。
【００２６】
図３（ａ）に示すように、前パーツ１には、リム２の後部の後端部２１よりも前方の上面に、後方へ行く程上方に位置する立ち上がり壁２２が設けられるものである。第一の実施形態では、立ち上がり壁２２は、リム２の後部から突出する基端部側の略半部においては、後方へ行く程上方に位置するように傾斜し、先端部側の略半部においては、略上方に向けて起立している。この立ち上がり壁２２により、リム２の上面を伝って水が後パーツ３の方へ浸入するのが防止される。
【００２７】
そして、立ち上がり壁２２とリム２の後端部２１の一方または両方に、流体吐出部（局部洗浄ノズル４１）がボウル部１１内に突没するために挿通される開口部２３が形成されるものである。第一の実施形態では、立ち上がり壁２２の下端部からリム２の後端部２１にかけて、開口部２３が形成されている。
【００２８】
そして更に、リム２の後端部２１の上面に、開口部２３を囲う防水壁２４が設けられるものである。第一の実施形態では、防水壁２４として、開口部２３の左右両側に、立ち上がり壁２２の下面からリム２の後端部２１の上面にかけてリブ２５が形成され、後端部２１の上面に、前記左右のリブ２５を連結する連結リブ２６が形成されている。第一の実施形態の防水壁２４は、左右のリブ２５と連結リブ２６からなり、装置ケース５０の前端部と同じ略Ｕ字状をしたもので、後端縁は略垂直な平面内に位置している。装置ケース５０にはその上面に流体吐出部（局部洗浄ノズル４１）が載置され、リム２の後部の開口部２３周縁の上面にパッキン７を介して載置される、被載置部５となる。第一の実施形態では、図３に示すように、連結リブ２６の上端の板状をした部分の上面２６ａに、被載置部５の下面５ａがパッキン７を介して載置される。
【００２９】
パッキン７は、図１に示すように、リム２の後部の開口部２３周縁の上面２６ａと、被載置部５の下面５ａとの間に介在するものである。このパッキン７により、ボウル部１１から開口部２３に侵入した水が、下面５ａと上面２６ａとの間を通って内部（装置ケース５０内）に侵入するのが抑えられる。そして、パッキン７は、止水効果を高めるため、下面５ａまたは上面２６ａに当接する面に、前後方向と交差する方向を長手方向とする突条７１が設けられるものである。第一の実施形態では、上面２６ａに当接する面（パッキン７の下面）に複数本の突条７１が間隔をあけて設けられている。なお、突条７１の本数は二本、三本、四本または五本以上の複数本であってもよい。このように、前後方向と交差する方向を長手方向とする突条７１が設けられることで、下面５ａと上面２６ａとによりパッキン７が圧縮される力が突条７１に集中的にかかり、突条７１で高い密着性を有し、止水効果が向上するものである。更に、複数本の突条７１が設けられることで、一本当たりの突条７１にかかる圧縮力は低減されるものの、全体としては止水効果は向上する。
【００３０】
前パーツ１と後パーツ３は、ビス（不図示）やその他様々な連結手段により連結される。連結手段による連結により、連結リブ２６の上面２６ａと被載置部５の下面５ａとがパッキン７を介して圧接される。これにより、パッキン７が充分に圧縮されて、止水効果が確保される。
【００３１】
また、第二の実施形態について、図５に基いて説明する。なお、以下の説明においては、第一の実施形態と異なる部分についてのみ説明を行い、説明を行っていない部分については第一の実施形態と同じであるとする。
【００３２】
第二の実施形態においては、パッキン７が、被載置部５の下面５ａに当接する状態で保持される保持部７２を備える。図５に示すパッキン７は、前端から、被載置部５の前端面に当接するフランジ状をした当接片が突設されて、保持部７２が構成される。
【００３３】
第二の実施形態においては、パッキン７に保持部７２が設けられることで、前パーツ１と後パーツ３の連結の際、パッキン７が被載置部５の下面５ａに当接して保持されるため、作業性が向上する。また、保持部７２としての当接片が、突条７１が設けられている側（上面２６ａ側）と反対側（下面５ａ側）に突出しているため、突条７１が設けられていない側においても当接片により水の侵入が抑えられ、止水効果が向上する。
【符号の説明】
【００３４】
１    前パーツ
１０  便器本体
１１  ボウル部
１２  スカート部
２    リム
２０  上面
２１  後端部
２２  立ち上がり壁
２３  開口部
２４  防水壁
２５  リブ
２６  連結リブ
２６ａ  上面
３    後パーツ
３１  上カバー
３２  リアスカート
４    局部洗浄装置
４１  局部洗浄ノズル
５    被載置部
５ａ  下面
５０    装置ケース
７    パッキン
７１  突条
７２  保持部
８    機能部品
【図１】
2015007313.tif 000003
【図２】
2015007313.tif 000004
【図３】
2015007313.tif 000005
【図４】
2015007313.tif 000006
【図５】
2015007313.tif 000007
【図６】
2015007313.tif 000008
【図７】
2015007313.tif 000009